(57)【要約】      （修正有）【課題】寒期における自然冷気の冷熱をより有効に利用することができる貯蔵システム及び貯蔵物の貯蔵方法を提供すること。【解決手段】貯蔵物を貯蔵する貯蔵庫１０と、自然冷気により凍結され、前記貯蔵庫内を冷却するための融点が異なる複数種類の冷媒２０，２１と、を備える貯蔵システム１００、及び、寒期における自然冷気の冷熱により、融点が異なる複数種類の冷媒を凍結する工程と、凍結した前記複数種類の冷媒の冷熱により前記貯蔵庫内を冷却する工程と、を含む貯蔵物の貯蔵方法を提供する。【選択図】図２
2007155161.tif 000002
【特許請求の範囲】
【請求項１】
貯蔵物を貯蔵する貯蔵庫と、
自然冷気により凍結され、前記貯蔵庫内を冷却するための融点が異なる複数種類の冷媒と、を備えることを特徴とする貯蔵システム。
【請求項２】
前記貯蔵庫内に前記自然冷気を通風させる通風手段をさらに備え、
通風させた前記自然冷気により前記複数種類の冷媒を凍結させることを特徴とする請求項１に記載の貯蔵システム。
【請求項３】
前記複数種類の冷媒が、水、及び、凝固点降下剤を含む水溶液又は海水の組み合わせであることを特徴とする請求項１又は２に記載の貯蔵システム。
【請求項４】
前記貯蔵物が水産物であり、
自然冷気により凍結させた前記複数種類の冷媒のうち１の冷媒が、海水に前記水産物を浸して、前記水産物が浸された中央部分を凍結させないでそれ以外の部分を凍結させた凍結物であることを特徴とする請求項１又は２に記載の貯蔵システム。
【請求項５】
寒期における自然冷気の冷熱により、融点が異なる複数種類の冷媒を凍結する工程と、
凍結した前記複数種類の冷媒の冷熱により前記貯蔵庫内を冷却する工程と、
を含むことを特徴とする貯蔵物の貯蔵方法。
【請求項６】
前記複数種類の冷媒が、水、及び、凝固点降下剤を含む水溶液又は海水の組み合わせであることを特徴とする請求項５に記載の貯蔵物の貯蔵方法。
【請求項７】
前記貯蔵物が水産物であり、
前記複数種類の冷媒のうち１の冷媒として海水を用い、前記海水に前記水産物を浸して、前記水産物が浸された中央部分を凍結させないでそれ以外の部分を凍結させることを特徴とする請求項５に記載の貯蔵物の貯蔵方法。
【発明の詳細な説明】
【技術分野】
【０００１】
本発明は、寒期の自然冷気を利用して、水産物、農産物、苗木、花卉などを氷点下で貯蔵できる貯蔵庫及び貯蔵システムに関する。
【背景技術】
【０００２】
従来、寒期（外気温度がマイナスの期間）において自然冷気の冷熱（自然エネルギー）により冷媒や地盤を凍結し、凍結した冷媒や地盤の冷熱を利用して貯蔵物を低温で貯蔵する技術が開発されているが（例えば、特許文献１〜３参照）、自然冷気の冷熱をより有効に利用することができる技術の開発が求められている。
【特許文献１】特開平３−３０６２９号公報
【特許文献２】特開平７−２１８０８０号公報
【特許文献３】特開２００３−１８５３２０号公報
【発明の開示】
【発明が解決しようとする課題】
【０００３】
本発明は、寒期における自然冷気の冷熱をより有効に利用することができる貯蔵システム及び貯蔵物の貯蔵方法を提供することを目的とする。
【課題を解決するための手段】
【０００４】
上記課題を解決するために、本発明に係る貯蔵システムは、貯蔵物を貯蔵する貯蔵庫と、自然冷気により凍結され、前記貯蔵庫内を冷却するための融点が異なる複数種類の冷媒と、を備える。
【０００５】
本発明に係る貯蔵システムは、前記貯蔵庫内に前記自然冷気を通風させる通風手段をさらに備え、通風させた前記自然冷気により前記複数種類の冷媒を凍結させることとしてもよい。前記複数種類の冷媒としては、例えば、水、及び、凝固点降下剤を含む水溶液又は海水の組み合わせ等を挙げることができる。また、前記貯蔵物が水産物である場合には、自然冷気により凍結させた前記複数種類の冷媒のうち１の冷媒が、海水に前記水産物を浸して、前記水産物が浸された中央部分を凍結させないでそれ以外の部分を凍結させた凍結物であってもよい。
【０００６】
本発明に係る貯蔵物の貯蔵方法は、寒期における自然冷気の冷熱により、融点が異なる複数種類の冷媒を凍結する工程と、凍結した前記複数種類の冷媒の冷熱により前記貯蔵庫内を冷却する工程と、を含む。前記複数種類の冷媒としては、例えば、水、及び凝固点降下剤を含む水溶液又は海水の組み合わせ等を挙げることができる。また、前記貯蔵物が水産物である場合には、前記複数種類の冷媒のうち１の冷媒として海水を用い、前記海水に前記水産物を浸して、前記水産物が浸された中央部分を凍結させないでそれ以外の部分を凍結させることとしてもよい。
【発明の効果】
【０００７】
本発明によれば、電力などのエネルギーを用いることなく、貯蔵庫内の温度を低温から高温に向かって経時、段階的に変化させることができるので、貯蔵温度が異なる貯蔵物を貯蔵庫内の環境に応じて一定の期間貯蔵することが可能となる。従って、本発明によれば、寒期における自然冷気の冷熱（自然エネルギー）をより有効に利用することができるようになる。
【発明を実施するための最良の形態】
【０００８】
以下、本発明の好ましい実施形態につき、添付図面を用いて詳細に説明する。
【０００９】
＝＝本発明に係る貯蔵システムの構成＝＝
図１に本発明の一実施形態として説明する貯蔵システムの概略構成図を、図２に本発明の一実施形態として説明する貯蔵システムの内部構成図を示す。なお、図１Ａは貯蔵システムの外観図を、図１Ｂは貯蔵システムの正面図を、図１Ｃは貯蔵システムの背面図を、図１Ｄは貯蔵システムの側面図をそれぞれ示す。また、図２Ａは貯蔵システムの断面図を、図２Ｂは貯蔵システムの縦断図をそれぞれ示す。
【００１０】
図１及び図２に示すように、本発明に係る貯蔵システム１００は、貯蔵物を貯蔵する貯蔵庫１０、寒期（外気温度がマイナスの期間）における自然冷気により凍結され、貯蔵庫１０内を冷却するための融点が異なる２種類の冷媒がそれぞれ入った容器２０，２１などを備えている。
【００１１】
貯蔵庫１０は、外気の温熱が貯蔵庫１０内に伝わりにくく、貯蔵庫１０内の冷熱が貯蔵庫１０外に伝わりにくいように、断熱材で構成されている。前記断熱材としては、例えば、発泡ウレタン、発泡スチロール、硬質ウレタンなどの既存の材料を用いることができる。貯蔵庫１０の構造としては、貯蔵庫１０内の断熱効果を高めるために、例えば、半球状、かまぼこ状などの外気に触れる面積を少なくした構造をしていることが好ましい。また、貯蔵庫１０は、図１及び図２に示すように、地上に設置することとしてもよいが、貯蔵庫１０内の断熱効果をさらに高めるために、貯蔵庫１０の外壁と地盤との境界に盛土部４０を設けたり、貯蔵庫１０全体を土で覆ったり、貯蔵庫１０を地中に埋設したりすることとしてもよい。また、貯蔵庫１０の床と地盤との断熱効果を高めるために床部５０に断熱材を敷き詰めることとしてもよい。
【００１２】
なお、貯蔵庫１０内に貯蔵する貯蔵物としては、例えば、魚貝類（活貝、活カニなど）、地下茎類（ユリ根、にんにくなど）、花卉球根（チューリップなど）、根菜類（ジャガイモなど）、葉茎類、苗木等の植物類などの低温貯蔵が必要なものを挙げることができるが、これらに限定されるものではない。
【００１３】
上述の各容器２０，２１中の冷媒は、寒期における自然冷気の冷熱により凍結される冷媒であれば特に制限されるものではないが、貯蔵庫１０に貯蔵する水産物や農産物などの貯蔵物の安全性の面から、例えば、水、海水、プロピレングリコールやエチレングリコール等の凝固点降下剤を含む水溶液などの液体冷媒を用いることが好ましい。なお、容器２０中の冷媒と容器２１中の冷媒は、それぞれの融点が異なれば同じ凝固点降下剤を用いて調製されたものであってもかまわない。この場合には、容器２０中の冷媒と容器２１中の冷媒との凝固点降下剤の濃度はそれぞれ異なる。なお、本実施の形態においては、容器２０，２１は貯蔵庫１０内で棚３０に積まれて設置されている。
【００１４】
上述の冷媒を入れる容器２０，２１としては、冷媒の機能を発揮できる容器（例えば、銅やアルミなどの熱伝導率の高い容器など）であれば特に制限されるものではないが、冷媒の凍結効率が高く、かつ、軽量で、組立、輸送などが容易な容器（例えば、特開２００４−２３９４６０号公報に記載の製氷用容器など）を用いることが特に好ましい。
【００１５】
上述の冷媒の凍結は、貯蔵庫１０内に自然冷気を通風させて行うこととしてもよいし、貯蔵庫１０外で自然冷気にさらして行うこととしてもよい。なお、貯蔵庫１０内への自然冷気の通風は、図１に示すように、貯蔵庫１０の正面部及び背面部に設けられたシャッター１１，１２を開放することにより行ってもよいし、貯蔵庫１０に窓、ファンなどの通風手段を設けて行うこととしてもよい。また、貯蔵庫１０外で凍結させた冷媒の貯蔵庫１０内への搬入は、シャッター、扉などの出入り口を貯蔵庫１０に設けることにより行うことができる。
【００１６】
上述の自然冷気を通風させるための、シャッター１１，１２、窓、ファンなどの通風手段は、温度センサの測定により外気の温度が所定の温度以下（例えば、氷点下）である場合に通風を開始し、外気の温度が所定の温度より高い場合には通風を中止するように制御して自動化させることとしてもよい。
【００１７】
以上のように、貯蔵物を貯蔵する貯蔵庫１０に、自然冷気の冷熱により凍結させた融点が異なる２種類の冷媒を備えさせた貯蔵システム１００は、電力などのエネルギーを用いることなく、貯蔵庫１０内の温度を低温から高温に向かって経時、段階的に変化させることができるので、貯蔵温度が異なる貯蔵物を貯蔵庫１０内の環境に応じて一定の期間貯蔵することが可能となる。従って、自然冷気の冷熱（自然エネルギー）をより有効に利用することができるようになる。
【００１８】
なお、本発明においては、上述の融点が異なる２種類の冷媒のうち１の冷媒として−５〜−２℃の範囲内の融点を有することが好ましい。これにより、貯蔵庫１０内の温度を、魚貝類を仮死状態で保存したり、細胞が凍らない状態で保存したりすることができる氷点下の温度（例えば、−１〜０℃の温度範囲など）で保持することができるようになるので、冬や春の水産物や植物類などの鮮度を保って貯蔵することが可能となり、これらの貯蔵物を春から秋にかけて出荷することが可能となる。
【００１９】
また、本実施の形態においては、融点が異なる２種類の冷媒を備えた貯蔵システム１００について説明したが、貯蔵システム１００に融点がそれぞれ異なる３種類以上の冷媒を備えることとしてもよい。これにより、貯蔵庫内の温度を段階的に細かく制御することができるようになり、自然冷気の冷熱をより有効に利用することができるようになる。
【００２０】
さらに、本発明に係る貯蔵システム１００に水産物（例えば、ホタテ等の活貝など）を貯蔵する場合には、海水に水産物を浸して、自然冷気により水産物が浸された中央部分を凍結させないでそれ以外の部分を凍結させた凍結物を１の冷媒として用いることとしてもよい。これにより、冷媒として使用できる他、冷媒中で水産物を低温貯蔵することが可能となる。
【００２１】
また、貯蔵庫１０内の冷媒以外に貯蔵庫１０の床部５０の土間部分に含まれる水分を貯蔵庫１０内に通風させた自然冷気の冷熱により凍結し、冷媒として用いることとしてもよい。これにより、自然冷気の冷熱をより有効に利用することが可能となる。また、土間部分に含まれる水分の量を増大させるために、ホタテ等の貝殻を土間の土壌に添加することにより空隙率を高め、水を充填させることとしてもよい。さらに、輻射熱を低減させるために、貯蔵庫１０外の地表部をホタテ等の貝殻で被覆することとしてもよい。
【００２２】
＝＝本発明に係る貯蔵物の貯蔵方法＝＝
次に、本発明の一実施形態として貯蔵物の貯蔵方法について説明する。なお、本実施の形態においては、融点が異なる２種類の冷媒として、水と−３℃の融点を有する水溶液（例えば、５％のプロピレングリコール溶液、海水など）とを用いる場合について説明する。
【００２３】
図３に示すように、寒期（例えば、−３℃以下の気温の時期：１１月〜２月ごろ）にシャッター１１，１２を開放し、自然冷気を貯蔵庫１０に通風させて自然冷気の冷熱により貯蔵庫１０内に設置した水及び−３℃の融点を有する水溶液を凍結する。これらの冷媒が凍結した後、貯蔵庫１０のシャッター１１，１２などの通風手段を閉鎖して、−３℃の融点を有する水溶液の凍結物の冷熱により貯蔵庫１０内の温度が−１〜０℃の範囲内の温度になるまで待つ（例えば２〜３月ごろ）。また、−１〜０℃の温度範囲内の貯蔵が好ましい貯蔵物（例えば、活貝、活カニ等の水産物など）の貯蔵庫１０内の搬入も行う（例えば２〜３月ごろ）。搬入後、−３℃の融点を有する水溶液の凍結物が融解するまで貯蔵物を貯蔵する（例えば５月ごろまで）。
【００２４】
その後、−３℃の融点を有する水溶液の凍結物が全て融解する前、あるいは、貯蔵庫１０内の温度が０℃より高くなる前に、貯蔵庫１０内の貯蔵物を３℃での貯蔵が好ましい貯蔵物（例えば、ジャガイモ等の農産物など）に入れ替え（例えば５〜６月ごろ）、氷の冷熱により貯蔵庫１０内を３℃ぐらいに保ち、氷が融解するまで貯蔵物を貯蔵する（例えば１０月ごろまで）。
【００２５】
以上のように、寒期における自然冷気の冷熱により凍結させた融点が異なる２種類の冷媒を用いて貯蔵庫１０内を冷却することにより、電力などのエネルギーを用いることなく、貯蔵庫１０内の温度を２段階に低温から高温に向かって経時的に変化させることができるようになり、貯蔵温度の異なる貯蔵物を別々の時期に一定期間貯蔵することが可能となる。さらに、融点がそれぞれ異なる３種類以上の冷媒を用いることにより、貯蔵庫１０内の温度をより段階的に変化させることができるようになるので、貯蔵温度がそれぞれ異なる各種貯蔵物を貯蔵庫１０内の環境に応じて一定期間貯蔵することが可能となる。従って、自然冷気の冷熱（自然エネルギー）をより有効に利用することができるようになる。
【００２６】
また、本発明の貯蔵物の貯蔵方法により、冬に獲れた魚貝類や、春に収穫した農産物を適温で貯蔵することができ、春から夏にかけて魚貝類を、夏から秋にかけて農産物をそれぞれ出荷することが可能となる。
【００２７】
なお、本発明に係る貯蔵物の貯蔵方法において、水産物（例えば、ホタテ等の貝など）を貯蔵物として貯蔵する場合には、海水を１の冷媒として用いて、水産物を海水に浸した状態で、水産物を浸した中央部分を凍結させないでそれ以外の部分を凍結させるようにしてもよい。これにより、凍結させた海水を冷媒として用いる他、冷媒中で水産物を低温貯蔵することが可能となる。
【００２８】
＝＝貯蔵システム１００内に備える各冷媒の凍結物の必要量について＝＝
次に、貯蔵システム１００内に備える各冷媒の凍結物の量について説明する。貯蔵システム１００内に備える各冷媒の凍結物の必要量は、例えば、過去の平均気温、貯蔵庫１０の目標温度及び使用期間、貯蔵庫の大きさ、貯蔵庫の壁やシャッター１１，１２等に使用する素材の厚さ及び熱伝導率、貯蔵庫の壁やシャッター１１，１２等に使用する断熱材の厚さ及び熱伝導率、貯蔵庫１０外の地表面から土中を介して貯蔵庫１０の床部５０の土間に伝わる熱量、貯蔵庫１０の隙間風やシャッター１１，１２などの開閉により貯蔵庫内が換気されることによって導入される熱量などのパラメータを用いた一般的な熱収支計算により求めることができる。
【００２９】
以下、本発明の一実施形態として、過去における各月の日平均外気温度が表１に示すような温度であった場所に、以下の構造を有する貯蔵庫１０を設置して、貯蔵庫１０内の各月の温度を表１に示すような目標庫内温度にする際の、貯蔵庫１０内に設置する水と−３℃の融点を有する水溶液（例えば、海水など）との各冷媒の凍結物の必要量を算出する方法について説明する。
【００３０】
［表１］
2007155161.tif 000003
【００３１】
＜貯蔵庫の構造＞
外壁：コルゲートパイプ（ｔ＝４．５ｍｍ）
外壁の断熱材：ウレタン吹付け（ｔ＝１５０ｍｍ）
シャッター１１，１２及び点検出入口：１２．７ｍ２
シャッター１１，１２及び点検出入口の断熱材：ウレタン吹付け（ｔ＝６０ｍｍ）
床部５０：基礎砕石（３００ｍｍ）及び火山灰（１５０ｍｍ）
形状：半径５ｍ・長さ１２ｍの半円柱状（床面積：１２０ｍ２）
外周表面積：１８８ｍ２
正面部及び背面部の総表面積：７９ｍ２
貯蔵庫の容積：５２６ｍ２
照明器具の１日における単位面積当たりの発熱量（w）：５ｗ
照明器具の１日平均使用量：２時間
【００３２】
まず、表２に示すように、月毎の１日当たりに必要な熱量（表２の合計（ｗ）参照）を、貯蔵庫１０の外壁、並びに、正面部や背面部におけるシャッター１１，１２及び点検出入口から貯蔵庫１０内に透過する１日当たりの熱量（表２のｑ１を参照）、貯蔵庫１０内の照明器具により１日当たりに発生する発熱量（表２のｑ２を参照）、貯蔵庫１０における隙間風、及び、シャッター１１，１２、点検出入口等の開閉により１日当たりに貯蔵庫１０内に導入される熱量（表２のｑ３を参照）、土中を伝わって外部地表面から貯蔵庫１０の床部５０の土間に伝わる１日当たりの熱量（表２のｑ４を参照）などから算出する。
【００３３】
［表２］
2007155161.tif 000004
【００３４】
なお、上述の、貯蔵庫１０の外壁、並びに、正面部や背面部におけるシャッター１１，１２及び点検出入口から貯蔵庫１０内に透過する１日当たりの熱量（表２のｑ１を参照）は、式：ｑ１＝Ｋ１Ａ１Δｔ＋Ｋ２Ａ２Δｔ（Ｋ１：外壁の熱通過率，Ａ１：外壁の表面積（m2），Ｋ２：シャッター１１，１２、点検出入口等の熱通過率，Ａ２：シャッター１１，１２、点検出入口等の表面積（m2），Δｔ：表１における日平均外気温度と目標庫内温度との差(℃)）により求めることができる。前記Ｋ１は、式：Ｋ１＝1/［(1/α０)＋(ｔ１/λ１)＋(ｔ２/λ２)＋(1/αｉ)］（α０：外部表面熱伝達率（23 w/m2/h/℃），αｉ：内部表面熱伝達率（9 w/m2/h/℃），λ１：外壁の熱伝導率（45 w/m/h/℃），λ２：外壁における断熱材の熱伝導率（0.020 w/m/h/℃），ｔ１：外壁の厚さ(m)，ｔ２：外壁における断熱材の厚さ（m））により求めることができる。前記Ｋ２は、式：Ｋ２＝1/［(1/α０)＋(ｔ３/λ３)＋(ｔ４/λ４)＋(1/αｉ)］（α０：外部表面熱伝達率（23 w/m2/h/℃），αｉ：内部表面熱伝達率（9 w/m2/h/℃），λ３：シャッター１１，１２、点検出入口等の鋼材の熱伝導率（45 w/m/h/℃），λ４：シャッター１１，１２、点検出入口等における断熱材の熱伝導率（0.020 w/m/h/℃），ｔ３：シャッター１１，１２、点検出入口等の鋼材の厚さ(m)，ｔ４：シャッター１１，１２、点検出入口等における断熱材の厚さ（m））により求めることができる。
【００３５】
また、上述の、貯蔵庫１０内の照明器具により１日当たりに発生する発熱量（表２のｑ２を参照）は、式：ｑ２＝Ａｙ・Ｗｌ（Ａｙ：貯蔵庫１０の床面積（m2），Ｗｌ：１日に発熱する単位面積当たりの発熱量（w））により求めることができる。
【００３６】
さらに、上述の、貯蔵庫１０における隙間風、及び、シャッター１１，１２、点検出入口等の開閉により１日当たりに貯蔵庫１０内に導入される熱量（表２のｑ３を参照）は、式：ｑ３＝Ｖ・Ｑ・Δｔ（Ｖ：貯蔵庫１０の体積（m3），Ｑ：１日当たりに貯蔵庫１０内が換気される率，Δｔ：表１における日平均外気温度と目標庫内温度との差(℃)）により算出することができる。なお、本実施の形態においては、Ｑ＝0.033としてｑ３を算出する。
【００３７】
また、上述の、土中を伝わって外部地表面から貯蔵庫１０の床部５０の土間に伝わる１日当たりの熱量（表２のｑ４を参照）は、式：ｑ４＝Ｋｙ・Ａｙ・Δｔ（Ｋｙ：土中を介して外部地表面から貯蔵庫１０の床部５０の土間に伝わる平均熱透過率，Ａｙ：貯蔵庫１０の床面積（m2），Δｔ：表１における日平均外気温度と目標庫内温度との差(℃)）により算出することができる。なお、前記Ｋｙは、図４に示すように、貯蔵庫１０外の地表面の熱が土中を介して貯蔵庫１０の土間に伝わるものと想定して、１ｍ間隔の熱通過率から、式：Ｋｙ＝1/［(1/α０)＋(Σ(Ｌｎ/λ５))/ｎ＋(1/αｉ)］（α０：外部表面熱伝達率（23 w/m2/h/℃），αｉ：内部表面熱伝達率（9 w/m2/h/℃），λ５：土（火山灰、砂質土）中の熱伝導率（0.75 w/m/h/℃），ｎ：表３に示す正の整数，Ｌｎ：表３に示す熱の伝達距離）を用いて算出する。
【００３８】
［表３］
2007155161.tif 000005
【００３９】
上述のようにして得られた、月毎の１日当たりに必要な熱量（表２の合計（ｗ））から月毎に必要な熱量（表２の合計（kwh））を算出した後、「kcal」の熱量（表２の熱量合計（kcal））に換算して必要な氷の量（表２の氷換算（氷ｔ））を算出し、−３℃の融点を有する水溶液の凍結物の必要量（３〜５月までに必要な氷の総量）と水の凍結物の必要量（６〜１０月までに必要な氷の総量）をそれぞれ算出することができる。なお、上述の計算においては、−３℃の融点を有する水溶液の凍結物の融解エネルギーを氷の場合と同じであると仮定して、−３℃の融点を有する水溶液の凍結物の必要量を算出することとしたが、−３℃の融点を有する水溶液の凍結物の融解エネルギーから−３℃の融点を有する水溶液の凍結物の必要量を算出することとしてもよい。
【００４０】
以上のようにして、貯蔵システム１００内に備える各冷媒の凍結物の必要量を算出することができる。なお、このようにして算出した各冷媒の凍結物の必要量は、実施における安全率を考慮して増量することとしてもよいし、貯蔵庫１０の床部５０の土間部分に含まれる水分を自然冷気の冷熱により凍結させて冷媒として用いる場合にはその水分の量を考慮して減量することとしてもよい。
【図面の簡単な説明】
【００４１】
【図１】本発明の一実施形態として説明する貯蔵システムの概略構成を示す図である。
【図２】本発明の一実施形態として説明する貯蔵システムの内部構成を示す図である。
【図３】本発明の一実施形態として説明する、各月の貯蔵庫内温度及び貯蔵庫内の状態を示す図である。
【図４】本発明の一実施形態として説明する、貯蔵庫外の地表面の熱が土中を介して貯蔵庫の土間に伝わる様子を示す図である。
【符号の説明】
【００４２】
１０  貯蔵庫
１１，１２  シャッター
２０，２１  冷媒容器
３０  棚
４０  盛土部
５０  床部
１００  貯蔵システム
【図１】
2007155161.tif 000006
【図２】
2007155161.tif 000007
【図３】
2007155161.tif 000008
【図４】
2007155161.tif 000009